(57)【要約】【課題】光透過性導電層を含有する導電性フィルムにおいて、光透過性導電層をパターン化した際に形成される波状形状に起因してパターンが視認されやすくなるという現象を防止乃至緩和する。【解決手段】（Ａ）光透過性支持層；（Ｂ）有機無機ハイブリッドを含有するハードコート層；及び（Ｃ）光透過性導電層； を含有する導電性フィルムであって、前記ハードコート層（Ｂ）が、前記光透過性支持層（Ａ）の少なくとも一方の面に、直接又は一以上の他の層を介して配置されており、少なくとも一方の前記ハードコート層（Ｂ）の前記光透過性支持層（Ａ）とは反対側の面に、前記光透過性導電層（Ｃ）が、直接又は一以上の他の層を介して配置されており、前記有機無機ハイブリッドにおける無機材料の有機材料に対する重量比が、１以上であることを特徴とする、導電性フィルム。【選択図】なし【特許請求の範囲】
【請求項１】
（Ａ）光透過性支持層；
（Ｂ）有機無機ハイブリッドを含有するハードコート層；及び
（Ｃ）光透過性導電層； 
を含有する導電性フィルムであって、
前記ハードコート層（Ｂ）が、前記光透過性支持層（Ａ）の少なくとも一方の面に、直接又は一以上の他の層を介して配置されており、
少なくとも一方の前記ハードコート層（Ｂ）の前記光透過性支持層（Ａ）とは反対側の面に、前記光透過性導電層（Ｃ）が、直接又は一以上の他の層を介して配置されており、
前記有機無機ハイブリッドにおける無機材料の有機材料に対する重量比が、１以上であることを特徴とする、導電性フィルム。
【請求項２】
前記有機無機ハイブリッドにおける無機材料の有機材料に対する重量比が、３以上であることを特徴とする、請求項１に記載の導電性フィルム。
【請求項３】
前記有機無機ハイブリッドが、無機材料としてナノシリカを含有する、請求項１又は２に記載の導電性フィルム。
【請求項４】
前記有機無機ハイブリッドが、有機材料としてウレタンアクリレート樹脂を含有する、請求項１〜３のいずれか一項に記載の導電性フィルム。
【請求項５】
請求項１〜４のいずれかに記載の導電性フィルムを含有する、タッチパネル。
【発明の詳細な説明】
【技術分野】
【０００１】
本発明は、導電性フィルム、その製造方法及びそれを含有するタッチパネルに関する。
【背景技術】
【０００２】
タッチパネルに搭載される導電性フィルムとして、ＰＥＴ等からなる光透過性支持層の上に酸化インジウムスズ（ＩＴＯ）等からなる光透過性導電層を積層して得られる導電性フィルムが数多く使用されている。これらの導電性フィルムは、さらにエッチング処理を行うことにより光透過性導電層をパターン化した上でタッチパネルに搭載されるのが通常である。
【０００３】
通常、ＩＴＯ等の光透過性導電層に対するエッチングによるパターン形成（パターニング）は、例えば次のようにして行う。まず、レジスト（エッチング液から層を保護するための保護膜）を、光透過性導電層上の、残したい領域に塗布する。引き続いて、エッチング液を光透過性導電層に作用させ、光透過性導電層のうちレジストで保護されていない領域を選択的に溶解し、この溶解物を最終的に除去することにより、パターンを形成する。
【０００４】
このようにして光透過性導電層がパターン化された導電性フィルムにおいて、フィルム表面に光透過性導電層のパターンが視認されるようになること（いわゆる骨見え現象）が知られている。光透過性導電層がパターン化された導電性フィルムは、フィルム表面側から入射する光に対して、光透過性導電層が存在する領域と、存在しない領域とで、異なる屈折率を示す。このような屈折率の差が、骨見え現象の原因であると考えられている。これまでに、骨見え現象を解消するための技術が種々提案されているが、いずれもこのような領域ごとの屈折率の差に着目し、その差を補正しようとするものであった（特許文献１〜３）。
【０００５】
また、タッチパネル装置は矩形状のタッチ領域、及びその周辺に設けられる額縁領域を有しており、額縁領域には引き出し配線が配置されている。引き出し配線の配置は通常次のようにして行われる。Ａｇ、Ａｕ、Ｃｕ又はＣ等の金属ペーストを、スクリーン印刷等によって印刷する。さらに、長時間かけて導電性フィルムを加熱乾燥（例えば、１２０〜１３０℃、３０〜４０分程度）する（特許文献４及び５）。
【先行技術文献】
【特許文献】
【０００６】
【特許文献１】特開平８−２４０８００号公報
【特許文献２】特開２００２−９８９３５号公報
【特許文献３】特開２００３−２０２５５２号公報
【特許文献４】特表２００３−５２６８５３号公報
【特許文献５】特開２０１１−２４８６２９号公報
【特許文献６】特開２０１４−２５０６１号
【発明の概要】
【発明が解決しようとする課題】
【０００７】
本発明者らは、光透過性導電層がパターン化された従来の導電性フィルムにおいては、パターン化前に比べてフィルムが波打ったような形状（波状形状）に変化していることを見出した。さらにその導電性フィルムを、引き出し配線を形成するなどの目的のために加熱乾燥工程に晒すと、その形状変化がより顕著になることを見出した。この波状形状は、子細にみると、概ね光透過性導電層が存在する領域が山部に相当し、光透過性導電層が存在しない領域が谷部に相当するように観察された。さらに、本発明者らは、この形状変化が、光透過性導電層のパターンが視認される、いわゆる骨見え現象の原因の一つであることを見出した。そこで、本発明は、このような形状変化を抑制し、ひいては骨見え現象を防止乃至緩和することを課題とする。
【課題を解決するための手段】
【０００８】
本発明者らは、上記の課題を解決するため鋭意検討を行った。その結果、本発明者らは、光透過性支持層及び光透過性導電層の間に所定の組成又は特性を有するハードコート層を設けることにより、上記課題を解決できることを見出した。
【０００９】
本発明は上記の新しい知見に基づいてさらなる研究を重ねることにより完成されたものであり、その要旨は下記に掲げる通りである。
項１．
（Ａ）光透過性支持層；
（Ｂ）有機無機ハイブリッドを含有するハードコート層；及び
（Ｃ）光透過性導電層； 
を含有する導電性フィルムであって、
前記ハードコート層（Ｂ）が、前記光透過性支持層（Ａ）の少なくとも一方の面に、直接又は一以上の他の層を介して配置されており、
少なくとも一方の前記ハードコート層（Ｂ）の前記光透過性支持層（Ａ）とは反対側の面に、前記光透過性導電層（Ｃ）が、直接又は一以上の他の層を介して配置されており、
前記有機無機ハイブリッドにおける無機材料の有機材料に対する重量比が、１以上であることを特徴とする、導電性フィルム。
項２．
前記有機無機ハイブリッドにおける無機材料の有機材料に対する重量比が、３以上であることを特徴とする、項１に記載の導電性フィルム。
項３．
前記有機無機ハイブリッドが、無機材料として反応性ナノシリカを含有するものであって、当該反応性ナノシリカの平均粒子径が1μm未満であることを特徴とする項１又は２に記載の導電性フィルム。
項４．
前記有機無機ハイブリッドが、有機材料として多官能ウレタンアクリレート樹脂を含有する、項１〜３のいずれか一項に記載の導電性フィルム。
項５．
項１〜４のいずれかに記載の導電性フィルムを含有する、タッチパネル。
【発明の効果】
【００１０】
本発明によれば、光透過性導電層がパターン化された導電性フィルムにおいて、フィルムが波打ったような形状（波状形状）に変化する現象を防止乃至緩和し、ひいてはフィルム表面にこの波状、すなわち光透過性導電層のパターン、が視認されるようになる現象を防止乃至緩和できる。
【図面の簡単な説明】
【００１１】
【図１】光透過性支持層（Ａ）の片面にハードコート層（Ｂ）及び光透過性導電層（Ｃ）がこの順で互いに隣接して配置されている、本発明の導電性フィルムを示す断面図である。
【図２】光透過性支持層（Ａ）の両面にハードコート層（Ｂ）及び光透過性導電層（Ｃ）がこの順で互いに隣接して配置されている、本発明の導電性フィルムを示す断面図である。
【図３】光透過性支持層（Ａ）の一方の面にハードコート層（Ｂ）及び光透過性導電層（Ｃ）がこの順で互いに隣接して配置されており、他方の面に別のハードコート層（Ｄ）が直接配置されている、本発明の導電性フィルムを示す断面図である。
【図４】光透過性支持層（Ａ）の片面にハードコート層（Ｂ）、アンダーコート層（Ｅ）及び光透過性導電層（Ｃ）がこの順で互いに隣接して配置されている、本発明の導電性フィルムを示す断面図である。
【図５】光透過性支持層（Ａ）の両面にハードコート層（Ｂ）、アンダーコート層（Ｅ）及び光透過性導電層（Ｃ）がこの順で互いに隣接して配置されている、本発明の導電性フィルムを示す断面図である。
【図６】光透過性支持層（Ａ）の一方の面にハードコート層（Ｂ）、アンダーコート層（Ｅ）及び光透過性導電層（Ｃ）がこの順で互いに隣接して配置されており、他方の面に別のハードコート層（Ｄ）が直接配置されている、本発明の導電性フィルムを示す断面図である。
【発明を実施するための形態】
【００１２】
１．  導電性フィルム
本発明の導電性フィルムは、
（Ａ）光透過性支持層；
（Ｂ）有機無機ハイブリッドを含有するハードコート層；及び
（Ｃ）光透過性導電層； 
を含有する導電性フィルムであって、
前記ハードコート層（Ｂ）が、前記光透過性支持層（Ａ）の少なくとも一方の面に、直接又は一以上の他の層を介して配置されており、
少なくとも一方の前記ハードコート層（Ｂ）の前記光透過性支持層（Ａ）とは反対側の面に、前記光透過性導電層（Ｃ）が、直接又は一以上の他の層を介して配置されており、
前記有機無機ハイブリッドにおける無機材料の有機材料に対する重量比が、１以上であることを特徴とする、導電性フィルムである。
【００１３】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１４】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上層」又は「上方に位置する」等といい、光透過性支持層（Ａ）からの距離が小さい他方の層を「下層」又は「下方に位置する」等ということがある。
【００１５】
図１に、本発明の導電性フィルムの一態様を示す。この態様では、光透過性支持層（Ａ）の片面にハードコート層（Ｂ）及び光透過性導電層（Ｃ）がこの順で互いに隣接して配置されている。このような導電性フィルムのことを、「片面導電性フィルム」ということがある。
【００１６】
図２に、本発明の導電性フィルムの別の態様を示す。この態様では、光透過性支持層（Ａ）の両面にハードコート層（Ｂ）及び光透過性導電層（Ｃ）がこの順で互いに隣接して配置されている。このような導電性フィルムのことを、「両面導電性フィルム」ということがある。
【００１７】
１．１  光透過性支持層（Ａ）
本発明において光透過性支持層とは、導電性フィルムにおいて、光透過性導電層を含む層を支持する役割を果たすものをいう。光透過性支持層（Ａ）としては、特に限定されないが、例えば、タッチパネル用導電性フィルムにおいて、光透過性支持層として通常用いられるものを用いることができる。
【００１８】
光透過性支持層（Ａ）の素材は、特に限定されないが、例えば、各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、ポリビニルアルコール系樹脂、ポリアリレート系樹脂及びポリフェニレンサルファイド系樹脂等が挙げられる。ポリエステル系樹脂としては、特に限定されないが、例えば、ポリエチレンテレフタレート（ＰＥＴ）及びポリエチレンナフタレート（ＰＥＮ）等が挙げられる。ポリエーテル系樹脂としては、ポリエーテルスルホン系樹脂等が挙げられる。光透過性支持層（Ａ）の素材は、ポリエステル系樹脂が好ましく、中でも特にＰＥＴが好ましい。光透過性支持層（Ａ）は、これらのうちいずれか単独からなるものであってもよいし、複数種からなるものであってもあってもよい。
【００１９】
光透過性支持層（Ａ）の厚さは、特に限定されないが、好ましくは２〜３００μｍ、より好ましくは２０〜２００μｍである。光透過性支持層（Ａ）の厚さをこれらの下限値以上とすることによって、導電性フィルムに十分な機械的強度を付与できる。また、導電性フィルムとしては通常、ある程度の厚さ以下であることが要求される。このように導電性フィルムとして通常要求される厚さを達成するためには、光透過性支持層（Ａ）の厚さを上記の上限値以下とすることが好ましい。
【００２０】
１．２  ハードコート層（Ｂ）
本発明においてハードコート層とは、プラスチック表面の傷つきを防止する役割を果たすものをいう。
【００２１】
ハードコート層（Ｂ）は、有機無機ハイブリッドを含有する。
【００２２】
本発明において有機無機ハイブリッドとは、有機材料及び無機材料、好ましくは、紫外線の照射により有機物と結合する反応性無機材料、を含有し、両者が互いに混合しているものをいう。例えば、有機材料及び無機材料それぞれのドメインサイズが０．１〜５００ｎｍ程度の混合物をいう。
【００２３】
前記有機無機ハイブリッドにおける無機材料の有機材料に対する重量比は、好ましくは１以上であり、より好ましくは３以上である。当該重量比が左記範囲内にある本発明の導電性フィルムにおいては、光透過性導電層をパターン化したとしても、パターン化前に比べてフィルムが波打ったような形状（波状形状）に変化する現象が防止乃至緩和され、ひいてはフィルム表面にこの波状、すなわち光透過性導電層のパターン、が視認されるようになる現象が防止乃至緩和されやすくなる。
【００２４】
前記有機無機ハイブリッドにおける無機材料の有機材料に対する重量比は、本発明の効果が奏されればよく特に限定されないが、好ましくは４以下であり、より好ましくは３．５以下である。前記有機無機ハイブリッドにおける無機材料の有機材料に対する重量比の範囲としては、１〜５、１〜４、３〜４及び３〜３．５を挙げることができる。前記有機無機ハイブリッドにおける無機材料の有機材料に対する重量比の範囲としては、１〜５が好ましく、３〜３．５がより好ましい。
【００２５】
前記有機無機ハイブリッドにおける無機材料としては、本発明の効果が奏されればよく特に限定されないが、例えば、シリカ、アルミナ、チタニア、及びジルコニア等が挙げられる。無機材料としては、シリカが好ましい。
【００２６】
前記有機無機ハイブリッドにおける無機材料としては、特に、ナノシリカが好ましい。本発明においてナノシリカとは、ナノサイズのシリカ（二酸化ケイ素（ＳｉＯ２））をいう。本発明の効果が奏されればよく特に限定されないが、例えば、平均粒子径が０．００１〜１μmのシリカを前記有機無機ハイブリッドにおける無機材料として用いることができる。平均粒子径は動的光散乱式粒径分布測定及びBET比表面積測定を用いて測定する。
【００２７】
ナノシリカは、例えば市販のものであってもよい。市販のものとしては、例えば、アドマテックス、日産化学工業、アエロジル社、扶桑化学工業等が販売するものが挙げられる。
【００２８】
また、ナノシリカの製造法としては、例えば金属粉末の爆燃現象を利用して真球状酸化物微粒子を製造するVMC（Vaperized Metal Combustion）法を利用できる。VMCとは、詳細には、金属粉末を酸素の気流中に分散させ、着火することで酸化させ、その反応熱で金属及び酸化物を蒸気又は液体にし、冷却することで、微細な酸化物粒子を得るという技術である。
【００２９】
前記有機無機ハイブリッドにおける有機材料としては、本発明の効果が奏されればよく特に限定されないが、例えば、ウレタンアクリレート、ポリエステルアクリレート、エポキシアクリレート、メラミンアクリレート、ポリフルオロアルキルアクリレート、及びシリコーンアクリレート等が挙げられる。有機材料としては、ウレタンアクリレートが好ましい。
【００３０】
ウレタンアクリレートとしては、本発明の効果が奏されればよく特に限定されないが、例えば、多官能ウレタンアクリレートを用いることができる。
【００３１】
前記有機無機ハイブリッドにおける有機材料は、特に限定されないが、無機材料が官能基を有している場合、この官能基とイオン結合しうる官能基を有しているものであれば好ましい。
【００３２】
前記有機無機ハイブリッドは、特に限定されないが、例えばゾル−ゲル法、ナノ微粒子直接分散法、又は層間挿入法等により製造できる。特に限定されないが、具体的には次のようにして製造できる。
【００３３】
例えば、ゾル−ゲル法はシリカ（ＳｉＯ２）、アルミナ（Ａｌ２Ｏ３）、チタニア（ＴｉＯ２）、ジルコニア（ＺｒＯ２）等の無機酸化物を低温で作製できる方法として知られている。例えば、シリカ（二酸化ケイ素（ＳｉＯ２））は、ゾル−ゲル法により、アルコキシシランの加水分解とそれに続く縮合反応を経て、Ｏ−Ｓｉ−Ｏを繰り返し単位とする３次元架橋構造が形成されることにより得られる。ゾル−ゲル法としては、特に限定されないが、公知の手段のうち例えば、特許第４０２２６３９号に記載の方法等を利用できる。
【００３４】
本発明の有機無機ハイブリッドは、有機材料の存在下で、上記のゾル−ゲル法、ナノ微粒子直接分散法、又は層間挿入法等を行うことにより得ることができる。
また、本発明の有機無機ハイブリッドは、有機材料及び光重合開始剤の存在下で、紫外線の照射により有機物と結合する反応性無機材料を用いて、上記のゾル−ゲル法、ナノ微粒子直接分散法、又は層間挿入法等であって、さらに紫外線照射により硬化する工程を含有する方法を行うことにより得ることができる。
【００３５】
ハードコート層（Ｂ）は、好ましくは光透過性支持層（Ａ）の少なくとも一方の面に隣接して配置されている。
【００３６】
ハードコート層（Ｂ）は、一層が配置されていてもよい。あるいは二層以上が互いに隣接して、または他の層を介して互いに離間して配置されていてもよい。
【００３７】
ハードコート層（Ｂ）の一層あたりの厚さは、特に限定されないが、例えば０．１〜１０μｍ、１〜７μｍ、及び１．５〜６μｍ等が挙げられる。左記の数値範囲は後出のものが前出のものよりも好ましい。二層以上が互いに隣接して配置されている場合は互いに隣接している全てのハードコート層（Ｂ）の合計厚さが上記範囲内であればよい。
【００３８】
ハードコート層（Ｂ）の屈折率は、本発明の導電性フィルムがタッチパネル用導電性フィルムとして使用できる限り特に限定されないが、例えば、１．４〜１．８及び１．５〜１．７等が挙げられる。左記数値範囲は、後出のものが前出のものよりも好ましい。
【００３９】
ハードコート層（Ｂ）は、その上に配置されている層、例えば光透過性導電層（Ｃ）又はアンダーコート層（Ｅ）、よりも高い屈折率を有していてもよい。このようにすることにより、層間の光学干渉作用により導電性フィルムの透過率が向上するので好ましい。
【００４０】
ハードコート層（Ｂ）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００４１】
ハードコート層（Ｂ）の屈折率は、光透過性支持層（Ａ）との干渉で虹模様を生じないという理由から、可能な限り光透過性支持層（Ａ）の屈折率に近いことが望ましい。
【００４２】
１．３  光透過性導電層（Ｃ）
光透過性導電層（Ｃ）は、少なくとも一方のハードコート層（Ｂ）の光透過性支持層（Ａ）とは反対側の面に、直接又は一以上の他の層を介して配置されている。
【００４３】
光透過性導電層（Ｃ）は導電性物質を含有する。導電性物質としては、特に限定されないが、例えば、タッチパネル用導電性フィルムにおいて通常用いられる導電性物質を用いることができる。
【００４４】
光透過性導電層（Ｃ）に含有される導電性物質としては、特に限定されないが、例えば、金属が挙げられる。金属としては、より詳細には、例えば、酸化インジウム、酸化亜鉛、酸化錫及び酸化チタン等が挙げられる。これらのうちいずれか単独を光透過性導電層（Ｃ）に含有される導電性物質として用いてもよいし、これらから選択される複数種を光透過性導電層（Ｃ）に含有される導電性物質として用いてもよい。光透過性導電層（Ｃ）に含有される導電性物質としては、透明性と導電性を両立する点でスズをドープした酸化インジウムが好ましい。この場合において、スズをドープした酸化インジウムとしては、酸化インジウム（ＩＩＩ）（Ｉｎ２Ｏ３）と酸化スズ（ＩＶ）（ＳｎＯ２）を用いて得られた無機化合物であるスズドープ酸化インジウム（あるいは酸化インジウムスズ、ｔｉｎ−ｄｏｐｅｄｉｎｄｉｕｍ ｏｘｉｄｅ、又はＩＴＯとも呼ばれる）が好ましい。この場合における、ＳｎＯ２の添加量としては、特に限定されないが、例えば、１〜１５重量部、好ましくは２〜１０重量部、より好ましくは３〜８重量部等が挙げられる。
【００４５】
光透過性導電層（Ｃ）の厚さは、特に限定されないが、通常は５〜５０ｎｍであり、好ましくは１０〜４０ｎｍ、より好ましくは１２〜３５ｎｍ、さらに好ましくは１５〜３０ｎｍである。
【００４６】
光透過性導電層（Ｃ）を形成する方法としては、特に限定されないが、例えば、イオンプレーティング法、スパッタリング法、真空蒸着法、ＣＶＤ法、及びパルスレーザーデポジション法等が挙げられる。これらのうち、タッチパネル用途に低抵抗で大面積の均質な膜を安定に生産するという観点において、スパッタリング法が好ましい。
【００４７】
光透過性導電層（Ｃ）を形成する方法としては、導電性物質を焼成する工程を含有する方法が好ましい。焼成方法としては、特に限定されないが、例えばスパッタリング等を行う際のドラム加熱や、熱風式焼成炉、遠赤外線焼成炉などを例として挙げることができる。焼成温度は、特に限定されないが、通常は３０〜２５０℃であり、好ましくは５０〜２００℃、より好ましくは８０〜１８０℃、さらに好ましくは１００〜１６０℃である。焼成時間は、好ましくは３分〜１８０分、より好ましくは５分〜１２０分、さらに好ましくは１０分〜９０分である。焼成を行う雰囲気としては、真空下、大気、窒素やアルゴンなどの不活性ガス、酸素、若しくは水素添加窒素等、又はこれらのうち二種以上の組合せが挙げられる。導電性物質を焼成することにより、導電性物質の結晶化が促進される。
【００４８】
１．４  ハードコート層（Ｄ）
本発明の導電性フィルムは、さらに、ハードコート層（Ｂ）とは別のハードコート層（Ｄ）を含有していてもよい。
【００４９】
ハードコート層（Ｄ）は、特に限定されないが、例えば、光透過性支持層（Ａ）のハードコート層（Ｂ）とは反対側の面に直接又は一以上の他の層を介して配置されていてもよい。
【００５０】
図３に、本発明の片面導電性フィルムの一態様を示す。この態様では、光透過性支持層（Ａ）の一方の面にハードコート層（Ｂ）及び光透過性導電層（Ｃ）がこの順で互いに隣接して配置されており、他方の面に別のハードコート層（Ｄ）が直接配置されている。
【００５１】
ハードコート層（Ｄ）としては、特に限定されないが、例えば、タッチパネル用導電性フィルムにおいてハードコート層として通常用いられるものを用いることができる。
【００５２】
ハードコート層（Ｄ）の素材は、特に限定されないが、例えば、アクリル系樹脂、シリコーン系樹脂、ウレタン系樹脂、メラミン系樹脂及びアルキド系樹脂等が挙げられる。
【００５３】
ハードコート層（Ｄ）の一層あたりの厚さは、特に限定されないが、例えば０．１〜１０μｍ、１〜７μｍ、及び１．５〜６μｍ等が挙げられる。二層以上が互いに隣接して配置されている場合は互いに隣接している全てのハードコート層（Ｄ）の合計厚さが上記範囲内であればよい。左記の例示列挙においては後出のものが前出のものよりも好ましい。
【００５４】
ハードコート層（Ｄ）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００５５】
１．５  アンダーコート層（Ｅ）
本発明の導電性フィルムは、さらに、アンダーコート層（Ｅ）を含有し、かつ少なくとも一方の光透過性導電層（Ｃ）が少なくともアンダーコート層（Ｅ）を介してハードコート層（Ｂ）の面に配置されていてもよい。
【００５６】
光透過性導電層（Ｃ）は、アンダーコート層（Ｅ）に隣接して配置されていてもよい。
【００５７】
図４に、本発明の片面導電性フィルムの一態様を示す。この態様では、光透過性支持層（Ａ）の一方の面に、ハードコート層（Ｂ）、アンダーコート層（Ｄ）及び光透過性導電層（Ｃ）がこの順で互いに隣接して配置されている。
【００５８】
図５に、本発明の両面導電性フィルムの一態様を示す。この態様では、光透過性支持層（Ａ）の両方の面に、ハードコート層（Ｂ）、アンダーコート層（Ｄ）及び光透過性導電層（Ｃ）がこの順で互いに隣接して配置されている。
【００５９】
図６に、本発明の片面導電性フィルムの一態様を示す。この態様では、光透過性支持層（Ａ）の一方の面に、ハードコート層（Ｂ）、アンダーコート層（Ｅ）及び光透過性導電層（Ｃ）がこの順で互いに隣接して配置されており、他方の面に、ハードコート層（Ｄ）が直接配置されている。
【００６０】
アンダーコート層（Ｅ）の素材は、特に限定されないが、例えば、誘電性を有するものであってもよい。アンダーコート層（Ｅ）の素材としては、特に限定されないが、例えば、酸化ケイ素、窒化ケイ素、酸窒化ケイ素、炭化ケイ素、シリコンアルコキシド、アルキルシロキサンの及びその縮合物、ポリシロキサン、シルセスキオキサン、ポリシラザン等が挙げられる。アンダーコート層（Ｅ）は、これらのうちいずれか単独からなるものであってもよいし、複数種からなるものであってもあってもよい。アンダーコート層（Ｅ）としては、ＳｉＯｘ（ｘ＝１．０〜２．０）を含む層が好ましい。アンダーコート層（Ｅ）は、ＳｉＯｘ（ｘ＝１．０〜２．０）からなる層であってもよい。
【００６１】
アンダーコート層（Ｅ）は、一層が配置されていてもよい。あるいは二層以上が互いに隣接して、または他の層を介して互いに離間して配置されていてもよい。アンダーコート層（Ｅ）が二層以上互いに隣接して配置されているのが好ましい。
【００６２】
アンダーコート層（Ｅ）の一層あたりの厚さとしては、特に限定されないが、例えば１５〜２５ｎｍ等が挙げられる。二層以上が互いに隣接して配置されている場合は互いに隣接している全ての光透過性下地層（Ｃ）の合計厚さが上記範囲内であればよい。
【００６３】
アンダーコート層（Ｅ）の屈折率は、本発明の導電性フィルムがタッチパネル用導電性フィルムとして使用できる限り特に限定されないが、例えば、１．４〜１．５が好ましい。
【００６４】
アンダーコート層（Ｅ）を配置する方法は、湿式及び乾式のいずれでもよく、特に限定されないが、湿式としては例えば、ゾル−ゲル法、微粒子分散液、コロイド溶液を塗布する方法等が挙げられる。
【００６５】
アンダーコート層（Ｅ）を配置する方法として、乾式としては、例えば、スパッタリング法、イオンプレーティング法、真空蒸着法及びパルスレーザーデポジション法により隣接する層上に積層する方法等が挙げられる。
【００６６】
１．６  その他の層（Ｆ）
本発明の導電性フィルムは、光透過性支持層（Ａ）の少なくとも一方の面に、ハードコート層（Ｂ）及び光透過性導電層（Ｃ）に加えて、別のハードコート層（Ｄ）、アンダーコート層（Ｅ）及びそれらと異なる少なくとも１種のその他の層（Ｆ）からなる群より選択される少なくとも１種の層がさらに配置されていてもよい。
【００６７】
その他の層（Ｆ）としては、特に限定されないが、例えば、接着層等が挙げられる。
【００６８】
接着層とは、二層の間に当該二層と互いに隣接して配置され、当該二層間を互いに接着するために配置される層である。接着層としては、特に限定されないが、例えば、タッチパネル用導電性フィルムにおいて接着層として通常用いられるものを用いることができる。接着層は、これらのうちいずれか単独からなるものであってもよいし、複数種からなるものであってもあってもよい。
【００６９】
１．７  本発明の導電性フィルムの用途
本発明の導電性フィルムは、光透過性導電層（Ｃ）をパターン化したとしても、従来の導電性フィルムに比べて、パターン化前に比べてフィルムが波打ったような形状（波状形状）に変化する度合いが抑制されている。なお、この波状形状は、子細にみると、概ね光透過性導電層が存在する領域が山部に相当し、光透過性導電層が存在しない領域が谷部に相当する。通常の導電性フィルムは波状形状に変化することにより、フィルム表面にこの波状、すなわち光透過性導電層のパターン、が視認されるようになる（いわゆる骨見え現象）。これに対して本発明の導電性フィルムはパターン化を経た後に波状形状の形成が抑制されているので、従来のような骨見え現象が防止乃至緩和されている。
【００７０】
したがって、本発明の導電性フィルムは、光透過性導電層（Ｃ）をパターン化した上で使用する用途に適している。
【００７１】
パターン化の方法は、特に限定されないが、例えば次のようにして行う。まず、レジスト（エッチング液から層を保護するための保護膜）を、光透過性導電層上の、残したい領域に塗布する。塗布の手段はレジストの種類にもよるがスクリーン印刷によって行ってもよいし、フォトレジストを用いる場合であれば、次のようにして行う。光透過性導電層上の、残したい領域にスピンコーター又はスリットコーター等を用いてフォトレジストを塗布し、光又は電子線を部分的に照射してフォトレジストの溶解性をその部分においてのみ変化させ、その後に溶解性が相対的に低くなっている部分を除去する（これを現像という）。このようにしてレジストが光透過性導電層上の、残したい領域においてのみ存在している状態とする。引き続いて、エッチング液を光透過性導電層に作用させ、光透過性導電層のうちレジストで保護されていない領域を選択的に溶解し、この溶解物を最終的に除去することにより、パターンを形成する。
【００７２】
パターン化により形成されるパターンの形状は、特に限定されないが、通常、縞状又はダイヤモンド状である。縞状にパターン化された導電性フィルムを縞方向が直交するように二枚重ね合わせることにより、格子状のパターンを形成できる。
【００７３】
光透過性導電層（Ｃ）をパターン化した上で使用する用途としては、特に限定されないが、例えばタッチパネル、太陽電池及び液晶ディスプレイ等が挙げられる。タッチパネルについて詳細は、２で説明する通りである。
【００７４】
２．本発明のタッチパネル
本発明のタッチパネルは、本発明の導電性フィルムを含み、さらに必要に応じてその他の部材を含んでなる。
【００７５】
本発明のタッチパネルの具体的な構成例としては、次のような構成が挙げられる。なお、保護層（１）側が操作画面側を、ガラス（３）側が操作画面とは反対側を向くようにして使用される。
（１）保護層
（２）本発明の導電性フィルム
（３）ガラス
【００７６】
本発明のタッチパネルは、特に限定されないが、例えば、保護層（１）、本発明の導電性フィルム（２）及び（３）ガラス、並びに必要に応じてその他の部材を通常の方法に従って組み合わせることにより製造することができる。
【００７７】
３．  本発明の導電性フィルムの製造方法
本発明の導電性フィルムの製造方法は、光透過性支持層（Ａ）の少なくとも一方の面に、ハードコート層（Ｂ）及び光透過性導電層（Ｃ）をそれぞれ配置する工程をそれぞれ含む。
【００７８】
本発明の導電性フィルムの製造方法は、光透過性支持層（Ａ）の少なくとも一方の面に、ハードコート層（Ｂ）及び光透過性導電層（Ｃ）に加えて、別のハードコート層（Ｄ）、アンダーコート層（Ｅ）及びそれらと異なる少なくとも１種のその他の層（Ｆ）からなる群より選択される少なくとも１種の層をそれぞれ配置する工程をそれぞれ含んでいてもよい。
【００７９】
上記において、それぞれの層を配置する工程は、それぞれの層について説明した通りである。それぞれの層を配置する順番については、特に限定されない。例えば、光透過性支持層（Ａ）の少なくとも一方の面に光透過性支持層（Ａ）側から順次配置させてもよい。あるいは、例えば、最初に光透過性支持層（Ａ）ではない層（例えば、光透過性導電層（Ｃ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００８０】
以下に実施例を掲げて本発明をさらに詳しく説明するが、本発明はこれら実施例のみに限定されるものではない。
【００８１】
＜基材の作製＞
透明支持体として厚み１００μｍＰＥＴ（ポリエチレンテレフタレート）フィルム（東洋紡績株式会社製、商品名：Ａ４３００）の片面に、光重合剤含有アクリル系オリゴマーに、トルエンとメチルイソブチルケトン（ＭＩＢＫ）とを５：５（重量比）の割合にて混合してなる混合溶媒を加えて、固形分濃度４０重量％に調整した液状のハードコート用材料をロールコーター塗工し、その塗工膜を１００℃で６０秒加熱乾燥し、乾燥後の塗工膜に対して３００ｍＪ／ｃｍ２の紫外線を照射させ、厚さ約２μｍのハードコート層を設けた。
【００８２】
［実施例１］
１５官能ウレタンアクリレート１００重量部に対して、算術平均径１μｍ未満の球状コロイダルシリカ（以下、ナノシリカという）３３３重量部、光重合開始剤1-ヒドロキシ-シクロヘキシル-フェニル-ケトン（BASFジャパン製、商品名：イルガキュア１８４）１０重量部、希釈溶剤としてメチルイソブチルケトン（ＭＩＢＫ）を固形分３０％になるように添加、混合することによって得たハードコート用材料を、上記片面ハードコート基材のハードコート層とは反対の面に、バーコーター（Ｒ．Ｄ．ＳＷＥＢＳＴＥＲ Ｎ．Ｙ 社製）４番手で塗布、１００℃で６０秒間乾燥し、高圧水銀灯で紫外線を約６００ｍＪ／ｃｍ２照射して硬化させ、厚み１．２μｍのハードコート層を設けた。
ナノシリカの平均粒径は、ＢＥＴ比表面積測定装置（ユアサアイオニクス製、ＮＯＶＡ―１２００）を用いて比表面積を測定及び、動的光散乱式粒径分布測定装置ＬＢ−５００（堀場製作所製）を用いて体積平均粒子径を測定し求めた。
【００８３】
＜透明導電層の形成＞
上記のように得られたハードコート層の表面に、アルゴンガス９５％及び酸素ガス５％からなる混合ガスを導入し、０．２〜０．３Ｐａ雰囲気に調整されたチャンバー内において、酸化インジウム９７重量％及び酸化スズ３重量％からなるターゲット材を用いて、ＤＣマグネトロンスパッタリング法により、透明導電層を形成した。
【００８４】
＜ＩＴＯ膜のエッチングによるパターン化＞
次いで、透明導電性フィルムを１０ｃｍ角に切り出し、１５０℃で６０分間の加熱処理を行って、ＩＴＯ膜を結晶化した。結晶化した透明導電性フィルムにフォトレジストを塗布し、露光・現像処理を行ってピッチ４ｍｍ、線幅０．２５ｍｍのストライプ状にパターンニングを施した後、２５℃の王水系エッチング液に１５分間浸漬して、ＩＴＯ膜のエッチングを行った。その後、２５℃の３％水酸化ナトリウム溶液に１分間浸漬してフォトレジストを除去した。
最後に、引き出し配線形成のための銀ペースト乾燥工程を想定して１３０℃で４０分間の加熱処理を行った。
【００８５】
［実施例２］
実施例１のハードコート用材料を高圧水銀灯照射により硬化させないこと以外は、実施例１と同様にして、実施例２のハードコート層を設け、また、その後の透明導電膜形成、パターンニング、加熱処理を行った。
【００８６】
［比較例１］
実施例１のナノシリカを無添加に変更した以外は、実施例１と同様にして、比較例１のハードコート層を設け、また、その後の透明導電膜形成、パターンニング、加熱処理を行った。
【００８７】
［比較例２］
実施例１のナノシリカの添加量を２６７重量部となるように変更した以外は、実施例１と同様にして、比較例２のハードコート層を設け、また、その後の透明導電膜形成、パターンニング、加熱処理を行った。
【００８８】
＜評価＞
実施例及び比較例で得られた透明導電性フィルムについて下記評価を行った。結果を表１に示す。
【００８９】
＜段差目視評価＞
実施例及び比較例で得られた透明導電性フィルムのパターンニングされたＩＴＯ側が上側になるように配置して、パターンニング部と非パターンニング部の判別ができるか否かを下記基準で評価した。目視距離は２０ｃｍ、目視角度はサンプル面から４５度とした。
○ ：パターンニング部と非パターンニング部の判別が困難。
△ ：パターンニング部と非パターンニング部とを判別できる。
× ：パターンニング部と非パターンニング部とをはっきりと判別できる。
【００９０】
【表１】
2015196258.tif 000002
【符号の説明】
【００９１】
１        導電性フィルム
１１      光透過性支持層（Ａ）
１２      ハードコート層（Ｂ）
１３      光透過性導電層（Ｃ）
１４      ハードコート層（Ｄ）
１５      アンダーコート層（Ｅ）
【図１】
2015196258.tif 000003
【図２】
2015196258.tif 000004
【図３】
2015196258.tif 000005
【図４】
2015196258.tif 000006
【図５】
2015196258.tif 000007
【図６】
2015196258.tif 000008